(57)【要約】【課題】板状フィンの霜を滞ることなく除去して、氷結を防止しつつ、熱交換効率の低下しない空気調和機の室外ユニットにおける熱交換器の提供を目的とする。【解決手段】板状フィン８の最下部に設けられた第１伝熱管９ａの下端から板状フィン８の最下端までの長さＬ１は、その他の伝熱管同士のピッチＬ３の１／２より短くなるように第１伝熱管９ａを配置する。これにより、伝熱管９の熱が熱伝導により板状フィン８の下端側に伝わり、夫々の温度差が小さくなり、過不足のない除霜運転を行なうことができる。【選択図】図１
2006132847.tif 000002
【特許請求の範囲】
【請求項１】
空気が流通するように所定の間隔で立設された複数の板状フィンと、前記板状フィンを貫通し上下方向に配列された複数の伝熱管とを備え、前記板状フィンの上端側に比べ下端側の前記伝熱管を密に配置することを特徴とする熱交換器。
【請求項２】
空気が流通するように所定の間隔で立設された複数の板状フィンと、前記板状フィンを貫通し上下方向に配列された複数の伝熱管とを備え、最下部に設けられた第１伝熱管の下端から前記板状フィンの最下端までの長さが、他の伝熱管同士のピッチより短いことを特徴とする熱交換器。
【請求項３】
空気が流通するように所定の間隔で立設された複数の板状フィンと、前記板状フィンを貫通し上下方向に配列された複数の伝熱管とを備え、最下部に設けられた第１伝熱管と前記第１伝熱管の上方に配された第２伝熱管とのピッチが、他の伝熱管同士のピッチより短いことを特徴とする熱交換器。
【請求項４】
第１伝熱管の下端から板状フィンの最下端までの長さが、他の伝熱管同士のピッチより短いことを特徴とする請求項３に記載の熱交換器。
【請求項５】
他の伝熱管同士が等間隔に配置され、第１伝熱管の下端から板状フィンの最下端までの長さが、前記他の伝熱管同士のピッチの１／２以下であることを特徴とする請求項２または４に記載の熱交換器。
【請求項６】
伝熱管が空気の流れ方向に沿って複数列並べられ、前記板状フィンの下端側では、伝熱管は碁盤目状に配列され、前記板状フィンの上端側では、前記伝熱管は上下方向にずれた千鳥足状に配置されていることを特徴とする請求項１〜５のいずれかに記載の熱交換器。
【請求項７】
板状フィンが空気の流れ方向に沿って複数列並べられ、各列の伝熱管同士のピッチは、隣合う列では、異なることを特徴とする請求項１〜５のいずれかに記載の熱交換器。
【請求項８】
キャビネットに、送風機およびこれに面した請求項１〜７のいずれかに記載の熱交換器が内装されたことを特徴とする空気調和機の室外ユニット。
【発明の詳細な説明】
【技術分野】
【０００１】
本発明は、空気調和機の室外ユニットに内装される熱交換器に関するものである。
【背景技術】
【０００２】
図６は従来の空気調和機の冷媒回路図、図７は従来の室外ユニットの内部構造を示す図、図８は従来の室外ユニットの横断面図、図９は従来の室外熱交換器の斜視図、図１０は従来の室外ユニットのキャビネットの底板付近の断面図、図１１はキャビネットの底板に氷が推積した状態を示す図、図１２は凍結防止用ヒータを設けた従来の室外ユニットのキャビネットの底板付近の断面図を示す。
【０００３】
図６に示すように、空気調和機の室外ユニット１には、室外熱交換器２、圧縮機３、室外送風機４、膨張装置５、四方弁６を備えており、室外熱交換器２、圧縮機３、膨張装置５、四方弁６が冷媒管７を介して接続される。室内ユニット１０は、室内熱交換器１１、室内送風機１２を備えている。これらによって冷凍サイクルが構成される。
【０００４】
室外ユニット１では、図７、図８に示すように、キャビネット１ａに、室外熱交換器２、圧縮機３、室外送風機４、膨張装置５、四方弁６が内装される。室外熱交換器２は、室外送風機４に面して配置され、空気の流れ方向において室外送風機４よりも上流側に位置する。
【０００５】
室外熱交換器２は、図９に示すように、平面視Ｌ形に曲げられ、所定の間隔で並んだ複数の板状フィン８と、板状フィン８を貫通する複数の伝熱管９とを備える。室外熱交換器２は、図１０に示すように、キャビネット１ａの底板１３に隙間をあけて立設される。長方形の各板状フィン８は、互いに略平行に配列される。
【０００６】
各伝熱管９は、水平な状態で上下方向に所定の間隔で配列され、板状フィン８と略直交して板状フィン８を貫通する。上下の伝熱管９は、一端あるいは他端において連結され、１本の管となって、冷媒管７に接続される。なお、底板１３には、室外熱交換器２の下方においてドレン口１４が形成されている。そして、室外熱交換器２の下方の底板１３は少し凹んでおり、これが排水用の流路となる。
【０００７】
上記の空気調和機において、図６に示すように、暖房運転時には、冷媒は破線の矢印方向に流れる。圧縮機３から吐出された高温、高圧のガスが、四方弁６を通過した後、室内熱交換器１１で凝縮される。冷媒が液化して、室内を暖房し、室内熱交換器１１から流出した液冷媒は、室外ユニット１の膨張装置５に流入し、減圧されて低温の２相状態となり、室外熱交換器２へ流入する。冷媒は、室外熱交換器２を通過すると、外気から熱を吸収して蒸発する。気化した冷媒は、四方弁６を通過した後、再び圧縮機３へ流入する。暖房運転中、このサイクルを繰り返す。
【０００８】
外気温が低いときは、室外熱交換器２を流れる冷媒の温度が摂氏０度以下となり、室外熱交換器２の板状フィン８の表面に空気中の水分が着霜していく。すると、板状フィン８の間を通過する風量が減少して、暖房能力が急激に低下する。着霜量が増えると、四方弁６の流れ方向を切り替えて除霜を行なう。
【０００９】
以下に、除霜運転の動作を示す。冷媒の流れは、実線の矢印で示すように、冷房運転と同じであるが、室外送風機４および室内送風機１２は停止している。圧縮機３から吐出された高温、高圧のガスが、四方弁６を通過した後、室外熱交換器２で凝縮される。冷媒が液化して、室外熱交換器２を加熱する。板状フィン８に付着した霜がこの熱で融解する。融解した水は、板状フィン８の表面に沿って流れ落ち、底板１３に落下した後、ドレン口１４を通って排水される。
【００１０】
室外熱交換器２から流出した液冷媒は、膨張装置５に流入し、減圧されて低温の２相状態となって、室内ユニット１０の室内熱交換器１１へ流入する。冷媒は、室内熱交換器１１自体から熱を吸収して蒸発し、気化した冷媒は室外ユニット１の四方弁６を通過した後、再び圧縮機３へ流入する。
【００１１】
上記の除霜サイクルによって、暖房運転中に室外熱交換器２に着霜した霜を除霜することができる。室外熱交換器２での熱交換効率が回復すると、再び暖房運転を行い、十分な暖房を行なうことができる。
【００１２】
ところで、上記の空気調和機の室外ユニット１では、寒冷地において、外気温が氷点下の状態が続くと、図１１に示すように、除霜された水が氷結して、氷１６が底板１３に堆積した状態となる。これにより、熱交換器の暖房能力が低下したり、最悪の場合、室外送風機４に氷１６が接触して、異常音が発生するおそれがある。室外熱交換器２の下部に残った氷１６が融解、氷結を繰り返すと、伝熱管９が破損するということがある。
【００１３】
そこで、一般的には、除霜運転を過不足無く行なうために、図６に示すように、室外熱交換器２と膨張装置５との間にサーミスタ１５を設ける。サーミスタ１５は、冷房（除霜）運転時の室外熱交換器２の冷媒出口位置に配された伝熱管９の温度を計測する。これにより、除霜運転は、サーミスタ１５の計測温度が十分に上昇するまで行われるので、室外熱交換器２下部の霜を溶かすことが可能となる。しかし、除霜運転時において、室外熱交換器２の出口位置の伝熱管９と板状フィン８の下端部とでは、温度に差がある。そのため、サーミスタ１５で伝熱管９の温度を計測するだけでは、板状フィン８の下端部の霜の溶かし残しを防止できない。
【００１４】
また、板状フィン８の下端部の温度を直接サーミスタ１５で計測しながら除霜運転をする方法も考えられるが、構造や制御が複雑になる上、製品コストがアップする等の問題がある。
【００１５】
また、図１２に示すように、底板１３に、凍結防止用ヒータ１７を設け、室外熱交換器２の下部に除霜した水が氷結するのを防止する。しかし、ヒータ１７への電力供給が余分に必要であり、ランニングコストがアップする。また、配線や漏電対策が必要となり、構造が複雑となる。
【００１６】
このようなヒータを設けずに氷結を防ぐようにした熱交換器が、特許文献１に開示されている。板状フィンの下端部を斜めにカットして、外方に突出する突出部を形成する。突出部が底板の立上がり縁に当接する。板状フィンの表面を流れ落ちる水は、突出部から立上がり縁を経て、底板に流れ、板状フィンの下部に溜まらない。
【００１７】
また、特許文献２には、室外熱交換器の板状フィンの下端側の幅が上端側の幅より小さくするようにしており、除霜にともなって生じ、板状フィンの表面を流下する除霜水は板状フィンの下端側に滞留するが、下端側に滞留する除霜水の量は少なくなる。このため下側熱交換管群の熱交換管中の冷媒の熱は除霜水によって奪われ難くなり、冷媒の温度低下が少なくなって室外熱交換器の除霜時間を短縮でき、暖房を早くに再開できることで快適な空気調和が行なえる。
【特許文献１】実開平３−５７３２６号公報
【特許文献１】特開平５−１７２３５０号公報
【発明の開示】
【発明が解決しようとする課題】
【００１８】
ところで、特許文献１では、先の尖った突出部が外側に突出し、立上がり縁に当接している。そのため、熱交換器の製造時や組み立て時に、突出部の先端が折れたり曲がったりして、損傷を受けやすい。また、熱交換器を室外ユニットに設置後も、振動や衝撃によって、立上がり縁に当接した突出部の先端に外力がかかり、変形するおそれがある。
【００１９】
このように、突出部が損傷すると、立上がり縁と突出部とは離れ、水が流れ落ちにくくなり、板状フィンの下部に氷結が生じやすくなる。また、突出部の先端から落下した水は、板状フィンから外側に向かって流れる。そのため、水は、底板上を広がってドレン口から排出されず、溜まってしまう。これによっても、氷結が生じる。
【００２０】
また、特許文献２では、熱交換器下部の板状フィンの幅を小さくすることで、除霜によって生じる除霜水の熱交換器下部での滞留量を少なくしている。しかし、これでは板状フィンの表面積が小さくなるため、熱交換器の熱交換効率が大きく損なわれ、除霜を伴わない基本性能、例えば冷房、暖房性能の低下を招いてしまう。つまり、特許文献２の熱交換器の構造は除霜水の熱交換器下部での滞留量を少なくするため、熱交換器の熱交換効率を犠牲にしているといえる。
【００２１】
本発明は、上記に鑑み、板状フィンを滞ることなく除霜して、氷結を防止しつつ、良好な熱交換効率を確保し得る空気調和機の室外ユニットにおける熱交換器の提供を目的とする。
【課題を解決するための手段】
【００２２】
上記目的を達成するために、本発明は、空気が流通するように所定の間隔で立設された複数の板状フィンと、前記板状フィンに貫通し上下方向に配列された複数の伝熱管とを備え、前記板状フィンの上端側に比べ下端側の前記伝熱管を密に配置することを特徴とする。
【００２３】
例えば、板状フィンの最下部に設けられた伝熱管の下端から前記板状フィンの最下端までの長さが、他の伝熱管同士のピッチより短くする。この伝熱管の下端から前記板状フィンの最下端までの長さは、他の伝熱管同士が等間隔に配置されている場合、他の伝熱管同士のピッチの１／２以下であることが好ましい。
【００２４】
上記構成においては、伝熱管を板状フィンの下端側に密集して配置することができるので、伝熱管の熱を有効に利用でき、伝熱管の温度と板状フィンの下端部との温度差を小さくすることができる。したがって、外気温が氷点下となっても、板状フィン下端の除霜を確実に行なえる。また、伝熱管の配置を変えるだけなので、板状フィンの面積が変わらず、熱交換器の効率は維持することができる。
【００２５】
また、最下部に設けられた第１伝熱管と前記第１伝熱管の上方に配された第２伝熱管とのピッチが、他の伝熱管同士のピッチより短くし、かつ、第１伝熱管の下端から前記板状フィンの最下端までの長さが、他の伝熱管同士のピッチより短くすることもできる。ここで、第２伝熱管は、第１伝熱管の１つ上に配置された伝熱管とする。
【００２６】
上記構成においては、最下部の第１伝熱管の熱だけでなく、第２伝熱管の熱も板状フィンの下端まで伝導し、熱交換器下端の除霜を確実に行なうことができる。このとき、第１伝熱管の下端から前記板状フィンの最下端までの長さは、他の伝熱管同士が等間隔に配置されている場合、他の伝熱管同士のピッチの１／２以下であることが好ましい。
【００２７】
また、伝熱管が空気の流れ方向に沿って複数列並べられている場合、板状フィンの下端側では、伝熱管は碁盤目状に配列され、板状フィンの上端側では、伝熱管は上下方向にずれた千鳥足状に配置される。あるいは、伝熱管が空気の流れ方向に沿って複数列並べられている場合、伝熱管同士のピッチは、少なくとも隣合う伝熱管によって異なるように配置される。
【００２８】
ここで、碁盤目状とは、空気の流れ方向に沿って複数列に配置された各伝熱管を、同じ高さになるように配列された状態であって、千鳥足状とは、上下方向にずれて配置された状態を示す。
【００２９】
これにより、板状フィンの上端側では、流れてきた空気に各列の伝熱管が触れ、熱交換性能は損なわれない。そして、板状フィンの下端側では、各伝熱管は密になっているので、板状フィンの下端まで十分に熱が伝わり除霜能力が高まる。
【発明の効果】
【００３０】
本発明によると、熱交換器の板状フィンの下端側において、伝熱管同士の間隔あるいは伝熱管と板状フィンの下端部との間隔を短くすることにより、板状フィンの下端側では伝熱管が密になるので、伝熱管からの熱が板状フィンの下端まで伝わり、伝熱管の温度と板状フィンの下端との温度差を小さくすることができる。したがって、板状フィンの下端の霜を残すことなく溶かすことができ、除霜性能の向上を図れる。
【００３１】
また、凍結防止用のヒータが不要となるので、機器自体のコストアップがなく、ヒータの電力消費もなくなることから、省エネ運転が可能である。
【発明を実施するための最良の形態】
【００３２】
以下、本発明の実施形態を図面に基づいて説明する。
【００３３】
［第１実施形態］
図１は本発明の第１実施形態に係る熱交換器の下端側を示す図である。
【００３４】
ここで、室外熱交換器２は、図９、図１０に示すものと同様に、平面視Ｌ形に曲げられ、所定の間隔で並んだ複数の板状フィン８と、板状フィン８を貫通する複数の伝熱管９とを備える。室外熱交換器２は、キャビネット１の底板１３に隙間をあけて立設される。長方形の各板状フィン８は、互いに略平行に配列される。
【００３５】
各伝熱管９は、水平な状態で上下方向に所定の間隔で配列され、板状フィン８と略直交して板状フィン８を貫通する。上下の伝熱管９は、一端あるいは他端において連結され、１本の管となって、上下部の出入り口で冷媒管７に夫々接続される。伝熱管９の下側出入口は、暖房運転時の冷媒入口（冷房・除霜運転時の冷媒出口）となり、伝熱管９の上側出入口は、暖房運転時の冷媒出口（冷房・除霜運転時の冷媒入口）となる。
【００３６】
そして、本実施形態では、伝熱管９は、板状フィン８の上端側において伝熱管同士の間隔が広く、板状フィン８の下端側において伝熱管同士の間隔が狭く配置される。すなわち、伝熱管９は、板状フィン８下端側に向うにつれて伝熱管同士が密集するように配置される。
【００３７】
ここで、説明の便宜上、最下部に設けられた伝熱管９を第１伝熱管９ａとし、この第１伝熱管９ａの１つ上に配置された伝熱管９を第２伝熱管９ｂとする。また、第１伝熱管９ａの下端から板状フィン８の下端部までの長さＬ１を第１ピッチ、第１伝熱管９ａの上端から第１伝熱管９ａの上方に配置された第２伝熱管９ｂの下端までの長さＬ２を第２ピッチ、第１伝熱管９ａおよび第２伝熱管９ｂ以外の伝熱管９同士のピッチＬ３を第３ピッチとする。また、図１中の白抜きの矢印は、空気の流れ方向を示す。
【００３８】
第１ピッチＬ１は、第３ピッチＬ３より短くなるように第１伝熱管９ａが配置される。好ましくは、第１ピッチＬ１は、第３ピッチＬ３の１／２以下となるように第１伝熱管９ａが配置される。また、第２ピッチＬ２は、第３ピッチＬ３と同じ長さになるように第２配管９ｂが配置される。本実施形態において、伝熱管９同士は均等間隔に配列され、各ピッチＬ１，Ｌ２，Ｌ３の関係は、Ｌ１＜Ｌ２＝Ｌ３となる。なお、空気調和機の構成および上記以外の室外熱交換器２の構成は、図７〜１０に示した従来のものと同じである。
【００３９】
空気調和機の暖房運転を行なうとき、外気温が低いと、室外熱交換器２を流れる冷媒の温度が摂氏０度以下となり、室外熱交換器２の板状フィン８の表面に空気中の水分が着霜する。各板状フィン８の間を通過する風量が減少し、暖房能力が急激に低下するので、着霜量が増える。
【００４０】
そこで、暖房運転とは、逆サイクルの除霜運転が行われる。除霜運転は、従来と同様に、室外送風機４および室内送風機１２を停止して、四方弁６の流れ方向を切り替える。
【００４１】
これにより、図６の実線の矢印で示したように、圧縮機３から吐出された高温、高圧のガスが、四方弁６を通過した後、室外熱交換器２によって凝縮して液化する。室外熱交換器２を流出した液冷媒は、膨張装置５に流入し、減圧されて低温の２相状態となって、室内ユニット１０の室内熱交換器１１へ流入する。室内熱交換器１１自体から熱を吸収して冷媒は蒸発し、気化した冷媒は室外ユニット１の四方弁６を通過した後、再び圧縮機３へ流入するサイクルを繰り返す。
【００４２】
除霜運転中は、室外熱交換器２が加熱され、板状フィン８に付着した霜が融解する。融解した水は、板状フィン８表面を流れ落ちる。板状フィン８の下端から底板１３に落下した後、ドレン口１４を通って排水される。このとき、板状フィン８の下端に付着した霜は、第１伝熱管９ａの熱によって板状フィン８の下端部まで温められて融解される。除霜運転は、室外熱交換器２出口側に設けられたサーミスタ１５によって第１伝熱管９の温度を計測し、その計測温度が十分に上昇し、高温となったことを条件として終了する。
【００４３】
しかし、第１伝熱管９ａの温度と板状フィン８の下端側の温度とには差がある。そのため、上記の除霜運転のように、第１伝熱管９ａの温度を計測するだけでは、板状フィン８の下端側に付着した霜を全て融解するのは難しい。特に、極低温条件では、第１伝熱管９ａの温度と板状フィン８の下端側の温度とには大きな差がある。そのため、室外熱交換器２出口の第１伝熱管９の温度を計測する除霜運転では、板状フィン８下端側の温度の推定が困難である。
【００４４】
図２に熱交換器のプレートフィンの局所熱伝達分布図（日刊工業新聞社発行「コンパクト熱交換器」１９９２年８月２８日初版、３３頁図４−２より引用）を示す。この図２中の板状フィン８の幅Ｄは、第２ピッチＬ２の２倍の長さとされ、第１ピッチＬ１は、第２ピッチの１／２の長さとする。また、白抜きの矢印は、空気の流れ方向を示し、Ｒｅはレイノルズ数（図２ではＲｅ＝６４８）を示す。なお、他の数値は、無次元フィン温度を示しており、（その部位の板状フィン温度−入口空気温度）÷（板状フィン根元温度−入口空気温度）によって算出される。この入口空気温度とは、板状フィン８の空気の流れ方向上流側の側縁での温度である。
【００４５】
例えば、入口空気温度は−２０℃（スウェーデンの冬季の気温を想定した場合）、第１伝熱管９ａに接する板状フィン８の幅方向中心での温度を５℃とすると、板状フィン８の下端の幅方向中心の無次元フィン温度（図２中に示すＡ点）は、約０．８１であるから、先の設定温度値から計算すると、板状フィン８の下端の幅方向中心のＡ点の温度は０．２５℃となる。この温度は、除霜が可能である温度といえる。
【００４６】
以上のことから、第１ピッチＬ１の距離が第２ピッチＬ２の１／２以下であれば、極低温条件下であっても伝熱管９の温度と板状フィン８の温度との差は大きくならず、板状フィン８の温度が０℃以上となり確実な除霜ができる。そこで、第１伝熱管９ａの下端と板状フィン８の下端部との距離、すなわち、第１ピッチＬ１を第２ピッチＬ２の１／２以下とすることで、伝熱管９と板状フィン８の下端側との温度差を小さくして過不足のない除霜を行なうことができる。
【００４７】
［第２実施形態］
図３は第２実施形態に係る熱交換器の下端側を示す図である。図３に示すように、第１実施形態と同様に最下部に配置された第１伝熱管９ａの下端と板状フィン８の下端部との距離、すなわち、第１ピッチＬ１を短くする。最下部の第１伝熱管９ａとその１つ上の第２伝熱管９ｂとの間隔、すなわち、第２ピッチＬ２を、その他の伝熱管９同士のピッチである第３ピッチＬ３より短くする。好ましくは、第１ピッチＬ１は、第３ピッチＬ３の１／２以下となるように第１伝熱管９ａが配置される。なお、空気調和機の構成および上記以外の室外熱交換器２の構成は、第１実施形態と同じである。
【００４８】
上記構成においては、第１ピッチＬ１および第２ピッチＬ２を短くすることで、第２伝熱管９ｂも板状フィン８の下端側に寄せて配置することができる。そのため、第１伝熱管９ａの熱だけでなく、第２伝熱管９ｂの熱もが板状フィン８の下端側に伝わり、第１実施形態の室外熱交換器２と比べて除霜効果が向上する。したがって、第２実施形態では、伝熱管９の温度と板状フィン８の下端側温度の差が小さくなり、過不足のない除霜運転を行なうことができる。
【００４９】
ところで、室外熱交換器２全体の高さが規定値に決められている場合には、第３ピッチＬ３を長くするか、または、配列する伝熱管９の数を増やすことで規定する高さまで配置する。
【００５０】
［第３実施形態］
図４は第３実施形態に係る熱交換器の下端側を示す図である。本実施形態の室外熱交換器２は、図４に示すように、伝熱管９が空気の流れ方向に沿って２列に配置され、各伝熱管９が板状フィン８を貫通している。このように伝熱管９が空気の流れ方向に沿って複数列に配置されている場合、列数が３列から４列程度までは、千鳥足状の配列が熱交換性能の点において好適である。また、板状フィン８は、伝熱管９の列と同数とされるが、１枚の板としてもよい。
【００５１】
ここで、説明の便宜上、風の流れ方向上流側の板状フィン８を第１板状フィン８ａとし、風の流れ方向下流側の板状フィン８を第２板状フィン８ｂとする。また、図４中の白抜きの矢印は、空気の流れ方向を示し、ＡＬ１は第１板状フィン８ａの第１ピッチ、ＡＬ２は第１板状フィン８ａの第２ピッチ、ＡＬ３は第１板状フィン８ａの第３ピッチ、ＢＬ１は第２板状フィン８ｂの第１ピッチ、ＢＬ２は第２板状フィン８ａの第２ピッチ、ＢＬ３は第２板状フィン８ｂの第３ピッチを示す。
【００５２】
本実施形態では、複数列に配置された各板状フィン８ａ，８ｂの第１ピッチＡＬ１，ＢＬ１を短くしつつ、各板状フィン８ａ，８ｂの下端側以外では、伝熱管９を千鳥足状に配列する。すなわち、各板状フィン８ａ，８ｂの下端側に設けられた各第１伝熱管９ａと第２伝熱管９ｂとを碁盤目状、つまり、空気の流れ方向に沿って複数列に配置された各第１伝熱管９ａと第２伝熱管９ｂとが夫々同じ高さ（ＡＬ１＝ＢＬ１、ＡＬ２＝ＢＬ２）になるように配列され、第２伝熱管９ｂより上方に配置されたその他の伝熱管９同士は千鳥足状に配列する。
【００５３】
このとき、各第１ピッチＡＬ１，ＢＬ１は、各第２ピッチＡＬ２，ＢＬ２の１／２以下に設定される。また、本実施形態において、その他の伝熱管９同士は均等間隔に配列され、各ピッチＡＬ１，ＡＬ２，ＡＬ３、および、ＢＬ１，ＢＬ２，ＢＬ３の関係は、ＡＬ１＜ＡＬ２＝ＡＬ３、ＢＬ１＜ＢＬ２＝ＢＬ３となる。なお、空気調和機の構成および上記以外の室外熱交換器２の構成は、図７〜１０に示した従来のものと同じである。
【００５４】
上記構成により、第１実施形態および第２実施形態と同様に、伝熱管９の温度と板状フィン８の下端側温度の差が小さくなり、この室外熱交換器２においても、過不足のない除霜運転を行なうことができる。また、第２伝熱管９ｂより上方に配置された各列の伝熱管９を千鳥足状に配置することで、各列の伝熱管９の間を通って空気が流れ、各伝熱管９に満遍なく空気が当たる。これにより、各伝熱管９において、熱交換性能が向上する。
【００５５】
また、第１ピッチの長さが統一されているので、板状フィン８の下端部の位置を揃えることができる。これにより、例えば、板状フィン８の下端部の位置が異なる場合に起こる霜を融解した水が、室外熱交換器２の底板に一番近い板状フィン８に偏って氷が付着することを防止することができる。
【００５６】
［第４実施形態］
図５は第４実施形態に係る熱交換器の下端側を示す図である。本実施形態の室外熱交換器２では、空気の流れ方向に複数列配置された夫々の列の伝熱管９同士の間隔、すなわち、各列の第３ピッチを異なる長さにする。これにより、隣合う列の伝熱管９の相対位置は、徐々にずれていく。
【００５７】
詳しくは、図５に示すように、伝熱管９が空気の流れ方向に沿って２列に配置され、各伝熱管９が板状フィン８を貫通している。また、２列に配置された各板状フィン８ａ，８ｂにおいて、同列に配列された伝熱管９同士の間隔は等間隔とし、異列に配列された伝熱管９同士のピッチは異なる。すなわち、第１板状フィンの第２ピッチＡＬ２と第２板状フィンの第２ピッチＢＬ２との長さが異なる。これにより、板状フィン８ａ，８ｂの上端側に向うにつれて、隣合う伝熱管９の位置がずれて千鳥足状になる。
【００５８】
このとき、好ましくは、第１板状フィン８ａに設けられた伝熱管９同士の間隔が長くなるように配置する。例えば、板状フィン８の下端側に付着する氷は、図１１に示すように、空気の流れ方向下流側よりも上流側では高い位置まで付着する。そのため、霜が付着した位置に合わせて第１伝熱管９ａおよび第２伝熱管９ｂを配設する必要がある。そのため、第１板状フィン８ａの第２ピッチＡＬ２を第２板状フィン８ｂの第２ピッチＢＬ２より長くする。これにより、熱交換性能を維持しつつ、霜の付着状態に合わせて伝熱管９を配置することができる。
【００５９】
また、各板状フィン８ａ，８ｂの第１ピッチＡＬ１，ＢＬ１の長さは同じとする。これにより、板状フィン８の上端側では、伝熱管９が千鳥足状に配列され、下端側では、碁盤目状に配列された室外熱交換器２を実現することができる。
【００６０】
上記構成により、第１実施形態、第２実施形態および第３実施形態と同様に、伝熱管９の温度と板状フィン８の下端側温度の差が小さくなり、この室外熱交換器２においても、過不足のない除霜運転を行なうことができる。
【００６１】
なお、本発明は、上記実施形態に限定されるものではなく、本発明の範囲内で修正、変更を加えることができるのは勿論である。例えば、本実施形態では、室外熱交換器を平面視Ｌ形に曲がった形状として説明しているが、伝熱管が１箇所あるいは複数箇所で変曲されて、全体的に湾曲した形状としてもよい。
【００６２】
また、伝熱管が貫通する板状フィンを伝熱管の形状に合わせて配列する。この場合も、最下位の伝熱管の下端と板状フィンの下端部との距離は、他の伝熱管同士のピッチより１／２以下に設定する。これにより、上記と同様に、伝熱管の温度と板状フィンの下端側温度の差が小さくなり、室外熱交換器において過不足のない除霜を行なえる。
【００６３】
また、各実施形態の熱交換器を空気調和機以外の除霜運転が行われる冷凍システム、例えば冷蔵庫、冷凍庫に適用してもよい。さらに、板状フィンの下端側の除霜機能を高めるために、例えば、板状フィンの下端側の伝熱管の配列を正面から見てＺ字形状や下端側だけ複数列に配列してもよい。すなわち、板状フィンの下端側に伝熱管が密に配置されていればどのような形状でもよい。
【図面の簡単な説明】
【００６４】
【図１】本発明の第１実施形態に係る熱交換器の下端側を示す図
【図２】伝熱管の局所熱伝達率分布図
【図３】第２実施形態に係る熱交換器の下端側を示す図
【図４】第３実施形態に係る熱交換器の下端側を示す図
【図５】第４実施形態に係る熱交換器の下端側を示す図
【図６】従来の空気調和機の冷媒回路図
【図７】従来の室外ユニットの内部構造を示す図
【図８】従来の室外ユニットの横断面図
【図９】従来の室外熱交換器の斜視図
【図１０】従来の室外ユニットのキャビネットの底板付近の断面図
【図１１】キャビネットの底板に氷が推積した状態を示す図
【図１２】従来のヒータを設けた室外ユニットのキャビネットの底板付近の断面図
【符号の説明】
【００６５】
１    室外ユニット
２    室外熱交換器
３    圧縮機
４    室外送風機
５    膨張装置
６    四方弁
７    冷媒管
８    板状フィン
９    伝熱管
９ａ  第１伝熱管
９ｂ  第２伝熱管
１０  室内ユニット
１１  室内熱交換器
１２  室内送風機
１３  底板
１４  ドレン口
１５  サーミスタ
１６  氷
１７  凍結防止用ヒータ
Ｌ１  第１ピッチ
Ｌ２  第２ピッチ
Ｌ３  第３ピッチ
【図１】
2006132847.tif 000003
【図２】
2006132847.tif 000004
【図３】
2006132847.tif 000005
【図４】
2006132847.tif 000006
【図５】
2006132847.tif 000007
【図６】
2006132847.tif 000008
【図７】
2006132847.tif 000009
【図８】
2006132847.tif 000010
【図９】
2006132847.tif 000011
【図１０】
2006132847.tif 000012
【図１１】
2006132847.tif 000013
【図１２】
2006132847.tif 000014